(57)【特許請求の範囲】
【請求項１】
コンテンツを、一旦、記憶装置に記憶した後、再生する記録再生装置において、
時間的に連続して順番に送信され、視聴者のカテゴリーに分けられ、ヘッダ部に該カテゴリーが付与されたコンテンツを受信する受信部と、
前記複数のカテゴリー中、予め所定のカテゴリーを設定するカテゴリー設定部と、
前記受信部により受信された複数のカテゴリーに分けられたコンテンツ中、前記カテゴリー設定部により設定された視聴者のカテゴリーのコンテンツを選択的に抽出するコンテンツ選択的抽出部とを有し、
前記コンテンツ選択的抽出部で抽出されたコンテンツを前記記憶装置に受信順に記憶する
ことを特徴とする選択的記録再生装置。
【請求項２】
請求項１記載の選択的記録再生装置において、
前記コンテンツがＣＭである
ことを特徴とする選択的記録再生装置。
【請求項３】
請求項１記載の選択的記録再生装置において、
該選択的記録再生装置が、ビデオレコーダーである
ことを特徴とする選択的記録再生装置。
【請求項４】
請求項１記載の選択的記録再生装置において、
該選択的記録再生装置が、携帯情報端末である
ことを特徴とする選択的記録再生装置。
【請求項５】
番組と、時間的に連続して順番に送信され、視聴者のカテゴリーに分けられ、ヘッダ部に該カテゴリーが付与されたＣＭとを交互に受信する受信部と、
前記番組と前記ＣＭとを識別するコンテンツ識別部と、
前記複数のカテゴリーに分けられたＣＭ中、予め設定されている視聴者のカテゴリーのＣＭを選択的に抽出するＣＭ選択的抽出部と、
前記番組と、前記抽出されたＣＭとを受信順に記憶する記憶部と、
記憶された番組とＣＭとを再生する再生部と
を有することを特徴とする選択的記録再生装置。
【請求項６】
時間的に連続して順番に送信され、視聴者のカテゴリーに分けられ、ヘッダ部に該カテゴリーが付与されたコンテンツを受信する受信ステップと、
受信されて複数のカテゴリーに分けられたコンテンツ中、予め設定されている視聴者のカテゴリーのコンテンツを選択的に抽出するコンテンツ選択的抽出ステップと、
抽出されたコンテンツを受信順に記憶する記憶処理ステップと、
記憶されたコンテンツを再生する再生ステップと
を有することを特徴とする選択的記録再生方法。
【請求項７】
請求項６記載の選択的記録再生方法において、
前記コンテンツがＣＭである
ことを特徴とする選択的記録再生方法。
【発明の詳細な説明】
【０００１】
【発明の属する技術分野】
この発明は、放送されるコンテンツを、一旦、記憶装置に記憶した後、再生する記録再生装置に適用して好適な選択的記録再生装置およびその方法に関する。
【０００２】
【従来の技術】
テレビ放送あるいはラジオ放送等の放送メディアでは、コンテンツ｛コンテンツとは、映像、画像（動画と静止画）、音声、文字、数値などの様々な情報であって、テレビジョン受信機やラジオ受信機で復調される番組やＣＭおよび雑誌や新聞の紙面の内容を含む。｝を送信する。
【０００３】
テレビジョン受信機やラジオ受信機等の受信装置では、送信されたコンテンツを受信してリアルタイムに映像および（または）音声を出力する。また、ビデオテープレコーダ等の記録再生装置では、受信したコンテンツを、一旦、記憶し、視聴者の所望の時間に映像および（または）音声を再生する。このようにして受信装置および記録再生装置は、それぞれ視聴者等の便宜に供されている。
【０００４】
【発明が解決しようとする課題】
ところで、このようなコンテンツには、番組とともに広告であるＣＭ（ｃｏｍｍｅｒｃｉａｌ  ｍｅｓｓａｇｅ）が含まれているが、テレビ放送あるいはラジオ放送等の放送メディアでは、全ての視聴者に対して同一のＣＭしか送信できないので、視聴者のターゲットを絞りにくいという問題が指摘されている。
【０００５】
この問題を解決するために、放送するＣＭを、時間帯や番組毎に変更してターゲットを絞る工夫がなされており、一定の広告効果を上げてはいるが、例えば、男性の視聴者に対して女性向け化粧品のＣＭが放送されること等が、しばしば見受けられ、未だ広告効果が充分ではないという問題がある。
【０００６】
これらの問題は、たとえ、番組数を増加したとしても視聴率の分け合いになり、また、番組制作費も大きくなり、コスト増加等の種々の問題が発生する。
【０００７】
しかも、番組数を増加させた場合においても、受信チャンネル数の制約により多くの番組が無駄になる可能性がある。
【０００８】
この発明はこのような課題を考慮してなされたものであり、放送コンテンツに含まれる番組数を増加させることなく、またＣＭの放送時間を増加させることなく、広告効果（ＣＭ効果）を高めることを可能とする選択的記録再生装置およびその方法を提供することを目的とする。
【００１４】
この発明の選択的記録再生装置では、時間的に連続して順番に送信され、視聴者のカテゴリーに分けられ、ヘッダ部に該カテゴリーが付与されたコンテンツを受信部で受信したとき、受信したコンテンツ中、カテゴリー設定部により予め設定された視聴者のカテゴリーのコンテンツを、コンテンツ選択的抽出部により選択的に抽出し、該コンテンツ選択的抽出部で抽出されたコンテンツを記憶装置に、受信順に一旦記憶した後、再生するようにしている（請求項１記載の発明）。
【００１５】
この場合、選択的記録再生装置のカテゴリー設定部で予め設定されたカテゴリーのコンテンツを再生することができるので、該選択的記録再生装置の利用者は、たとえば、所望のコンテンツのみを記憶し、再生することができる。
【００１６】
コンテンツがＣＭである場合には、設定されたカテゴリーのＣＭのみを再生することができる（請求項２記載の発明）。
【００１７】
選択的記録再生装置としては、ビデオレコーダーあるいは携帯情報端末を採用することができる（請求項３、４記載の発明）。
【００１９】
この発明の選択的記録再生装置では、番組と視聴者のカテゴリーに応じて選択されたＣＭとを、受信順に一旦記憶した後に再生することが可能となるので、視聴者は所望の番組と所望のＣＭのみを所望のときに再生して視聴することができる（請求項５記載の発明）。
【００２２】
この発明の選択的記録再生方法では、予め設定された視聴者のカテゴリーのコンテンツを、受信順に記憶して再生することができるので、所望のコンテンツのみを記憶し、所望のときに再生することができる（請求項６記載の発明）。
【００２３】
コンテンツがＣＭである場合には、設定されたカテゴリーのＣＭのみを再生することができる（請求項７記載の発明）。
【００２４】
【発明の実施の形態】
以下、この発明の一実施の形態について図面を参照して説明する。
【００２５】
図１は、選択的受信装置および選択的記録再生装置が組み込まれたユーザプリファレンス型広告システム１０の模式的な構成を示している。
【００２６】
このユーザプリファレンス型広告システム１０は、基本的には、番組とＣＭを含むコンテンツを電波として放送する放送局１２と、ホーム（家庭）１４内等の屋内に配置される前記コンテンツの選択的受信装置としてのテレビジョン受信機１６と、屋外で携帯使用される前記コンテンツの他の選択的受信装置（または選択的記録再生装置）としての携帯情報端末１８とから構成されている。
【００２７】
なお、放送局１２からの電波により、コンテンツとしての番組が送信されるとともに、この番組送信の合間に、複数のカテゴリーに分けられたコンテンツとしてのＣＭが同時に送信される。
【００２８】
この放送局１２には、衛星デジタル放送用および移動体デジタル放送用の衛星用電波送信アンテナ（送信アンテナ）２０と、地上デジタル放送用の電波を送出する地上局送信アンテナ（送信アンテナ）２２とが接続されている。
【００２９】
テレビジョン受信機１６には、ホーム１４に設置されている衛星デジタル放送用受信アンテナ（受信アンテナ）２４と地上デジタル放送用受信アンテナ（受信アンテナ）２６が接続されている。
【００３０】
携帯情報端末１８には、移動体デジタル放送用受信アンテナ（受信アンテナ）２８が設けられている。
【００３１】
このような構成において、放送局１２の送信アンテナ２０から送信された電波３０は、放送衛星３２を経由して携帯情報端末１８に対して電波３４として送信され、携帯情報端末１８の受信アンテナ２８を介して受信される。
【００３２】
また、放送局１２の送信アンテナ２０から送信された電波３０は、放送衛星３２を経由してテレビジョン受信機１６の受信アンテナ２４に対して電波３６として送信され、受信アンテナ２４を介してテレビジョン受信機１６により受信される。
【００３３】
さらに、放送局１２から送信アンテナ２２を経由して送信された電波３８は、受信アンテナ２６を介してテレビジョン受信機１６により受信される。
【００３４】
図２は、図１例のユーザプリファレンス型広告システム１０中のテレビジョン受信機１６のブロック構成を示している。
【００３５】
このテレビジョン受信機１６は、制御処理部４０を有している。制御処理部４０は、制御手段としてのＣＰＵ（ｃｅｎｔｒａｌ  ｐｒｏｃｅｓｓｉｎｇ  ｕｎｉｔ：中央処理装置）４２と、制御プログラム等が記憶される記憶手段としてのＲＯＭ（ｒｅａｄ  ｏｎｌｙ  ｍｅｍｏｒｙ：読み出し専用メモリ）４４と、作業用等として使用される記憶手段としてのＲＡＭ（ｒａｎｄｏｍ  ａｃｃｅｓｓ  ｍｅｍｏｒｙ：ランダムアクセスメモリ）４６とから構成され、これらはバス４８を介して相互に接続されている。
【００３６】
バス４８には、データの書き換え可能な記憶手段としてのフラッシュメモリ等のＥＥＰＲＯＭ（ｅｌｅｃｔｒｉｃ  ｅｒａｓａｂｌｅ  ｐｒｏｇｒａｍｍａｂｌｅ  ＲＯＭ）５０も接続されている。
【００３７】
上述した受信アンテナ２４、２６が、受信部を構成するチューナ５２に接続されている。ここで、受信アンテナ２４、２６とチューナ５２により受信部が構成される。このチューナ５２には、カテゴリー設定部としても機能する操作入力部としてのリモートコマンダ（以下、リモコンともいう。）５６により設定されたチャンネル選択情報が、インタフェース５８、バス４８および制御処理部４０を介して供給される。
【００３８】
このチャンネル選択情報に基づきチューナ５２により復調されたチャンネルのデータが、コンテンツ選択的抽出部、たとえばＣＭ選択的抽出部としてのデコーダ５４を介してバス４８に供給される。なお、デコーダ５４には、リモコン５６により複数のカテゴリー中、予め設定された所定のあるいは所望のカテゴリーの設定情報が、インタフェース５８、バス４８、制御処理部４０およびＥＥＰＲＯＭ５０を介して供給される。
【００３９】
この場合、デコーダ５４は、放送局１２から同時に送信され、受信アンテナ２４、２６とチューナ５２を介して受信された複数のカテゴリーに分けられたコンテンツである複数のＣＭ中、リモコン５６により予め設定されＥＥＰＲＯＭ５０に記憶されている設定されたカテゴリーに適合した（合致した）ＣＭデータを選択的に抽出してバス４８に送るとともに、受信したコンテンツ中、番組データはそのままバス４８に送る。
【００４０】
リモコン５６には、図示していないチャンネル選択キーの他、十字キーや決定キーが配置され、これらのキー操作によりモニタ６６の画面を利用して予め所定のカテゴリーを設定することができる。
【００４１】
デコーダ５４を介してバス４８上に供給された番組データと選択されたＣＭデータとは、番組データとＣＭデータ中の映像データがインタフェース６４を介してＣＲＴディスプレー等のモニタ６６に送られるとともに、音声データがインタフェース６０を介してスピーカ６２に送られる。
【００４２】
このモニタ６６およびスピーカ６２により、リモコン５６により選択されたチャンネルのコンテンツである番組データと、前記デコーダ５４により選択的に抽出されたコンテンツであるＣＭデータとが受信時にリアルタイムに映像出力とされるとともに音声出力とされ、視聴者に届けられる。
【００４３】
なお、バス４８には、インタフェース６８を介して、必要に応じて記録再生装置としてのビデオテープレコーダやＤＶＤ（ｄｉｇｉｔａｌ  ｖｉｄｅｏ  ｄｉｓｋ）レコーダ等のビデオレコーダが接続される。
【００４４】
図３は、図１例のユーザプリファレンス型広告システム１０中の携帯情報端末１８のブロック構成を示している。
【００４５】
この携帯情報端末１８の構成要素およびその機能は、基本的には、図２に示したテレビジョン受信機１６の構成要素およびその機能と同様であり、対応するものにはその参照番号として同一の符号に１００を加えた番号を付け、その詳細な説明は省略する。
【００４６】
すなわち、携帯情報端末１８は、バス１４８を有し、このバス１４８に、ＣＰＵ１４２、ＲＯＭ１４４、ＲＡＭ１４６からなる制御処理部１４０と、ＥＥＰＲＯＭ１５０と、チューナ１５２、デコーダ１５４と、インタフェース１５８を介して接続されるカテゴリー設定部としても機能する操作入力部としての操作部キー１５６と、インタフェース１６４、１６０を介してそれぞれ接続されるＬＣＤ（ｌｉｑｕｉｄ  ｃｒｙｓｔａｌ  ｄｉｓｐｌａｙ：液晶表示装置）モニタ１６６、スピーカ１６２とがそれぞれ接続される。
【００４７】
ここで、操作部キー１５６は、受信放送チャンネルを選択したり、カテゴリーを設定する等の機能を有する十字キー７０と、決定キー７２と、取消キー７４と、モード切替キー７７を有している。
【００４８】
この携帯情報端末１８においても、モニタ１６６およびスピーカ１６２により、コンテンツである番組データと、デコーダ１５４により選択的に抽出されたコンテンツであるＣＭデータとが受信時にリアルタイムに映像出力とされるとともに音声出力とされ、視聴者に届けられる。
【００４９】
この携帯情報端末１８には、携帯して使用可能なように各部に電源を供給するための着脱可能な電池７６が内蔵されている。
【００５０】
次に、上述の実施の形態の動作について、図４のフローチャートを参照して説明する。この図４のフローチャートの処理は、コンテンツの受信とともに受信したコンテンツに基づく映像等を表示する、いわゆるリアルタイム受信処理に係る選択的受信装置としてのテレビジョン受信機１６および携帯情報端末１８の処理を示している。
【００５１】
テレビジョン受信機１６および（または）携帯情報端末１８の電源が投入されているとき、ステップＳ１では、準備処理としてカテゴリーの設定処理が行われる。
【００５２】
このカテゴリーの設定処理では、これから受信しようとするコンテンツ中のＣＭのカテゴリーを設定する。具体的には、例えば、図５に示すようなカテゴリー設定画面８０がモニタ６６（１６６）上に表示され、視聴者は、テレビジョン受信機１６の場合にはリモコン５６を用いて、携帯情報端末１８の場合には操作部キー１５６を用いて「性別と年齢区分」を設定するカテゴリー設定欄８２に所望のカテゴリー（属性）を設定する。
【００５３】
この図５例では、予めＲＯＭ４４（１４４）および（または）ＥＥＰＲＯＭ５０（１５０）に記憶されているカテゴリー設定表８４が参照され、このカテゴリー設定表８４からカテゴリー設定欄８２に設定しようとする、性別を表す上位ビットおよび年齢区分を表す下位ビットを選択して設定することができる。
【００５４】
この実施の形態では、２ビットの容量で、［００］＝「１８才未満の子供で男」、［０１］＝「１８才以上の大人で男」、［１０］＝「１８才未満の子供で女」、［１１］＝「１８才以上の大人で女」とカテゴリーが４区分されており、所望の１区分を設定入力することができる。
【００５５】
この図５例では、カテゴリー設定欄８２に、性別「０」、年齢区分「１」のカテゴリー［０１］＝「１８才以上の大人で男」を選択して設定し、これが所定のカテゴリーとして、カテゴリー設定記憶部としても機能するＥＥＰＲＯＭ５０（１５０）に予め記憶設定される。
【００５６】
このような準備処理の後、ステップＳ２において、電波の受信が行われる。
【００５７】
すなわち、このステップＳ２の受信処理においては、放送局１２からの複数チャンネルの電波３０、３８がそれぞれ送信アンテナ２０、２２から送出される。
【００５８】
送信アンテナ２２から直接送られる電波３８は受信アンテナ２６により受信され、放送衛星３２を介して送られる電波３６、３４は、それぞれ、受信アンテナ２４、２８により受信される。
【００５９】
そして、チューナ５２（１５２）の出力側には、換言すれば、デコーダ５４（１５４）の入力側には、予めリモコン５６あるいは操作部キー１５６により設定されたチャンネルの復調データとしてのコンテンツデータが出力される。
【００６０】
図６は、復調データとしてのコンテンツデータ９０を模式的に示している。図６において、横軸は時間軸を表し、縦軸のコンテンツデータ９０の幅は、伝送帯域幅を表している。伝送帯域幅（Ｈｚ）ＢＷは、転送レート（ビット／秒）と考えることもできる。
【００６１】
このコンテンツデータ９０は、番組データ９２とＣＭデータ９４とが交互に連続するデータである。時点ｔａ〜時点ｔｂの間は、番組放送時間帯Ｔｐとされ、時点ｔｂ〜時点ｔｃの間は、ＣＭ放送時間帯Ｔｃとされている。
【００６２】
ＣＭデータ９４は、帯域幅ＢＷが４分割された４つのＣＭデータ９４α（ＣＭα）、９４β（ＣＭβ）、９４γ（ＣＭγ）、９４δ（ＣＭδ）が同時に受信可能なようにされている。
【００６３】
番組データ９２の先頭部であるヘッダ部９６には、放送局１２等において番組データ９２であることを示す情報が挿入されている。
【００６４】
さらに各ＣＭデータ９４α、９４β、９４γ、９４δの先頭部であるヘッダ部９８α、９８β、９８γ、９８δには、同様に放送局１２等においてＣＭデータ９４であることを示す情報が挿入されるとともに、ＣＭデータ９４α、９４β、９４γ、９４δのカテゴリーが情報として挿入されている。
【００６５】
ＣＭデータ９４α、９４β、９４γ、９４δのカテゴリー情報とは、それぞれ、上述した［００］＝「１８才未満の子供で男」、［０１］＝「１８才以上の大人で男」、［１０］＝「１８才未満の子供で女」、［１１］＝「１８才以上の大人で女」の４区分のカテゴリーである。
【００６６】
そこで、ステップＳ３では、デコーダ５４（１５４）によりヘッダ部９６、９８が順次検出され、ステップＳ４において、そのヘッダ部９６、９８の内容から番組データ９２であるのかＣＭデータ９４であるのかが判断される。
【００６７】
例えば、時点ｔａでのヘッダ部９６が受信されたときには、ステップＳ５において、番組データ９２がデコーダ５４（１５４）からバス４８（１４８）に提供され、インタフェース６４（１６４）を介してモニタ６６（１６６）上に番組に対応する映像が出力として表示され、これと同期してインタフェース６０（１６０）を介してスピーカ６２（１６２）から番組に対応する音声が出力として出力される。このようにして、視聴者は、番組データ９２に対応する番組をリアルタイムに視聴することができる。
【００６８】
一方、ステップＳ３において時点ｔｂでのヘッダ部９８の受信が検出されたときには、ステップＳ４においてＣＭデータ９４が受信されたと判断され、ステップＳ６において、そのヘッダ部９８に挿入されているカテゴリーが検出され、ＣＭデータ９４のカテゴリーがデコーダ５４（１５４）により判断される。
【００６９】
ここで、ヘッダ部９８α、９８β、９８γ、９８δには、上述したように、それぞれ、カテゴリーとしてカテゴリー［００］、［０１］、［１０］、［１１］が放送局１２等で挿入されている。
【００７０】
この場合、デコーダ５４（１５４）は、ＥＥＰＲＯＭ５０（１５０）内にステップＳ１の入力処理により設定され記憶されている所定のカテゴリーと、ヘッダ部９８α、９８β、９８γ、９８δの各カテゴリー中、一致しているカテゴリーを選択するための比較判断を行う。
【００７１】
ステップＳ７では、ステップＳ６の比較判断結果に基づき、カテゴリー設定記憶部であるＥＥＰＲＯＭ５０（１５０）に設定記憶されているカテゴリー（この例では、カテゴリー［０１］）と同一のカテゴリーを有するＣＭデータ９４中のＣＭβのＣＭデータ９４βが抽出される。
【００７２】
ステップＳ７の処理によりデコーダ５４（１５４）により抽出されたＣＭデータ９４βに係るＣＭβが、ステップＳ５の処理により、モニタ６６（１６６）およびスピーカ６２（１６２）を通じて映像出力および音声出力とされる。
【００７３】
すなわち、この実施の形態に係る選択的受信装置として機能するテレビジョン受信機１６と、選択的受信装置あるいは選択的記録再生装置として機能する携帯情報端末１８とは、それぞれ、リモコン５６および操作部キー１５６により選択したチャンネルの番組データ９２による番組と、リモコン５６および操作部キー１５６により設定したＣＭデータ９４βによるＣＭとを受信順に連続的にリアルタイムに視聴することができる。
【００７４】
以上説明したように、上述した選択的受信装置に係る実施の形態によれば、放送局１２から電波３０、３８として、予め複数のカテゴリーに分けたＣＭ（ＣＭα、ＣＭβ、ＣＭγ、ＣＭδ）を、例えば、時点ｔｂ〜ｔｃに示すように、同時に送信し、受信側のテレビジョン受信機１６および（または）携帯情報端末１８では、予めカテゴリー設定部としてのリモコン５６あるいは操作部キー１５６により設定しておいたカテゴリーと一致しているＣＭのみをリアルタイムに選択的に表示あるいは音声出力するようにしている。
【００７５】
このため、視聴者の所望のカテゴリーに対応した、換言すれば使用者あるいは視聴者にマッチしたＣＭのみを選択してリアルタイムに表示あるいは音声出力することができる。
【００７６】
このようにすれば、チャンネル数を増加させることなく、ターゲット層の絞り込みによる広告効果を高めることができる。すなわち、従来は、ＣＭデータ９４が分割されていないので、この図６例と同等の広告効果を得るためには、従来技術では、同一の番組を流す４つのチャンネルが必要とされるのに対して、この実施の形態では、１つのチャンネルでよい。このことにより、結果として、放送電波用電力資源の節減や、広告主の費用負担の割合を低減し得る可能性が得られることとなる。
【００７７】
また、番組データ９２の切れ目毎に複数のＣＭデータ９４を同時に挿入しているので、ＣＭ時間帯／番組時間帯で定義されるＣＭの露出度を上げずに広告効果を高めることができる。
【００７８】
なお、上述の実施の形態においては、所定のカテゴリーを設定する際に、モニタ６６（１６６）のカテゴリー設定画面８０の表示を利用して設定していたが、たとえば、男または女を表すボタン、および１８才以上あるいは１８才未満を表すボタンをテレビジョン受信機１６のコンソール部に「ＣＭお好みボタン」等として設けておくこともできる。
【００７９】
また、上述した実施の形態において、デコーダ５４（１５４）による処理は、ＣＰＵ４２（１４２）により代替して行わせることもできる。
【００８０】
図７は、この発明の一実施の形態の選択的記録再生装置が組み込まれたユーザプリファレンス型広告システム２１０の模式的な構成を示している。なお、この図７例のユーザプリファレンス型広告システム２１０において、図１例のユーザプリファレンス型広告システム１０に示したものと対応するものには同一の符号あるいは同一の符号に２００を加えた番号を付けて説明する。
【００８１】
このユーザプリファレンス型広告システム２１０は、基本的には、番組とＣＭを含むコンテンツを電波として放送する放送局２１２と、ホーム１４内等の屋内に配置される前記コンテンツの選択的記録再生装置としてのビデオレコーダ２１６と、屋外で携帯使用される前記コンテンツの他の選択的記録再生装置としての携帯情報端末３１８とから構成されている。なお、ビデオレコーダ２１６とテレビジョン受信機１６とを、一体的に構成することができることはいうまでもない。
【００８２】
この放送局２１２には、衛星デジタル放送用および移動体デジタル放送用の衛星用電波送信アンテナ２０と、地上デジタル放送用の電波を送出する地上局送信アンテナ２２とが接続されている。
【００８３】
ビデオレコーダ２１６およびテレビジョン受信機１６には、ホーム１４に設置されている衛星デジタル放送用受信アンテナ２４と地上デジタル放送用受信アンテナ２６が接続されている。
【００８４】
携帯情報端末３１８には、移動体デジタル放送用受信アンテナ２８が設けられている。
【００８５】
このような構成において、放送局２１２の送信アンテナ２０から送信された電波２３０は、放送衛星３２を経由して携帯情報端末３１８に対して電波２３４として送信され、携帯情報端末３１８の受信アンテナ２８を介して受信される。
【００８６】
また、放送局２１２の送信アンテナ２０から送信された電波２３０は、放送衛星３２を経由してビデオレコーダ２１６およびテレビジョン受信機１６の受信アンテナ２４に対して電波２３６として送信され、受信アンテナ２４を介してビデオレコーダ２１６およびテレビジョン受信機１６により受信される。
【００８７】
さらに、放送局２１２から地上局送信アンテナ２２を経由して送信された電波２３８は、受信アンテナ２６を介してビデオレコーダ２１６およびテレビジョン受信機１６により受信される。
【００８８】
図８は、図７例のユーザプリファレンス型広告システム２１０の中のビデオレコーダ２１６のブロック構成を示している。
【００８９】
ビデオレコーダ２１６は、制御処理部２４０を有している。制御処理部２４０は、制御手段としてのＣＰＵ２４２と、制御プログラム等が記憶される記憶手段としてのＲＯＭ２４４と、作業用等として使用される記憶手段としてのＲＡＭ２４６とから構成され、これらは、バス２４８を介して相互に接続されている。
【００９０】
バス２４８には、データの書き換え可能な記憶手段としてのフラッシュメモリ等のＥＥＰＲＯＭ２５０も接続されている。
【００９１】
また、バス２４８には、大容量記憶媒体であるビデオテープ、光磁気ディスクあるいはハードディスク等のデータストレージ２４９がインタフェース２５１を介して接続されている。データストレージ２４９としてビデオテープを使用する場合、ビデオレコーダ２１６としては、ビデオテープレコーダが用いられる。
【００９２】
さらに、バス２４８には、計時手段としてのタイマ２５３が接続され、いわゆるタイマー録画（予約録画）等の日時設定に供される。
【００９３】
受信アンテナ２４、２６が、受信部を構成するチューナ２５２に接続されている。ここで、受信アンテナ２４、２６とチューナ２５２により受信部が構成される。このチューナ２５２には、カテゴリー設定部としても機能する操作入力部としてのリモートコマンダ（リモコン）２５６により設定されたチャンネル選択情報が、インタフェース２５８、バス２４８および制御処理部２４０を介して供給される。
【００９４】
このチャンネル選択情報に基づきチューナ２５２により復調されたチャンネルのデータが、コンテンツ選択的抽出部あるいはコンテンツ識別部として機能するデコーダ２５４を介してバス２４８に供給される。
【００９５】
デコーダ２５４は、受信部としての受信アンテナ２４、２６とチューナ２５２を介して受信された複数のカテゴリーに分けられたコンテンツである複数のＣＭ中、リモートコマンダ２５６により予め設定されてＥＥＰＲＯＭ２５０に記憶されている設定されたカテゴリーに適合した（合致した）ＣＭデータを選択的に抽出してバス２４８に送るとともに、受信したコンテンツ中、番組データはそのままバス２４８に送る。リモコン２５６には、図示していないチャンネル選択キーの他、十字キーや決定キーが配置され、これらのキー操作により、たとえば、テレビジョン受信機１６のモニタ６６の画面を利用して予め所定のカテゴリーを設定することができるとともに予約録画の日時を設定することができる。
【００９６】
デコーダ２５４を介してバス２４８上に供給された番組データと選択されたＣＭデータとは、インタフェース２５１を介して一旦データストレージ２４９に記憶される。
【００９７】
一旦データストレージ２４９に記録されたデータは、所望のときに読み出され、映像データと音声データがインタフェース２６４を介してテレビジョン受信機１６に送られる。
【００９８】
テレビジョン受信機１６上のモニタ６６およびスピーカ６２（図２参照）により、コンテンツである番組データと、前記デコーダ２５４により選択的に抽出されたコンテンツであるＣＭデータとが映像出力とされるとともに音声出力とされる。
【００９９】
図９は、図７例のユーザプリファレンス型広告システム２１０中の携帯情報端末３１８のブロック構成を示している。
【０１００】
この携帯情報端末３１８の構成要素は、基本的には、図８に示したビデオレコーダ２１６と同様であり対応するものには、下二桁の番号が同一の３００番台の参照符号を付け、その詳細な説明は省略する。
【０１０１】
すなわち、携帯情報端末３１８は、バス３４８を有し、このバス３４８に、ＣＰＵ３４２、ＲＯＭ３４４、ＲＡＭ３４６からなる制御処理部３４０と、ＥＥＰＲＯＭ３５０と、チューナ３５２、デコーダ３５４と、インタフェース３５８を介して接続されるカテゴリー設定部としても機能する操作入力部としての操作部キー３５６と、インタフェース３６４、３６０を介して接続されるＬＣＤモニタ３６６、スピーカ３６２とがそれぞれ接続される。
【０１０２】
バス３４８には計時手段としてのタイマ３５３も接続され、いわゆるタイマー録画（予約録画）の日時設定に利用される。
【０１０３】
ここで、操作部キー３５６は、受信放送チャンネルを選択したり、録画予約日時を設定したり、カテゴリーを設定する等の機能を有する十字キー７０と、決定キー７２と、取消キー７４と、記録・再生状態、記録状態、再生状態等のモードを切り替えるモード切替キー７７を有している。
【０１０４】
この携帯情報端末３１８においても、デコーダ３５４を介してバス３４８上に供給された番組データと選択されたＣＭデータとは、インタフェース３５１を介してフラッシュメモリ等のデータストレージ３４９に記憶される。
【０１０５】
データストレージ３４９に一旦記録されたデータは、所望のときに読み出され、映像データと音声データがそれぞれインタフェース３６４、３６０を介してモニタ３６６およびスピーカ３６２に送られる。このモニタ３６６およびスピーカ３６２により、コンテンツである番組データと、前記デコーダ３５４により選択的に抽出されたコンテンツであるＣＭデータとが映像出力とされるとともに音声出力とされる。この携帯情報端末３１８には、単独で携帯して使用可能なように各部に電源を供給するための着脱可能な電池３７６が内蔵されている。
【０１０６】
なお、ビデオレコーダ２１６および携帯情報端末３１８は、選択的記録再生装置として機能するとともに、電波によるコンテンツの受信時にリアルタイムに映像等を表示する選択的受信装置としても機能することはいうまでもない。
【０１０７】
次に、上述の実施の形態の動作について、図１０のフローチャートを参照して説明する。この図１０のフローチャートによる処理は、選択的記録再生装置としてのビデオレコーダ２１６および携帯情報端末３１８における処理を示している。
【０１０８】
ビデオレコーダ２１６および携帯情報端末３１８の電源が投入されているとき、ステップＳ１１では、準備処理としてカテゴリーの設定処理が行われる。
【０１０９】
このカテゴリーの設定処理では、これから受信しようとするコンテンツ中のＣＭのカテゴリーを設定する。具体的には、例えば、図５に示したようなカテゴリー設定画面８０がモニタ２６６（３６６）上に表示され、使用者は、ビデオレコーダ２１６の場合にはリモコン２５６を用いて、携帯情報端末３１８の場合には操作部キー３５６を用いてカテゴリー設定欄８２に所望のカテゴリー（属性）を上述したのと同様に設定する。
【０１１０】
この図５例では、カテゴリー設定欄８２に、カテゴリー［０１］＝「１８才以上の大人で男」が設定され、これが所定のカテゴリーとして、予めカテゴリー設定記憶部としても機能するＥＥＰＲＯＭ２５０（３５０）に記憶設定される。
【０１１１】
このような準備処理の後、ステップＳ１２において、タイマー録画の設定処理に基づく録画開始時刻、たとえば、午前４時（４：００ＡＭ）が到来したとき電波の受信処理が開始される。
【０１１２】
次に、ステップＳ１３において、録画終了時刻、たとえば、１時間経過後の午前５時（５：００ＡＭ）が到来したときに電波の受信処理が終了される。
【０１１３】
ステップＳ１４の受信処理においては、放送局２１２からの複数チャンネルの電波２３０、２３８がそれぞれ送信アンテナ２０、２２から送出される。
【０１１４】
直接到来される電波２３８および放送衛星３２を介して到来される電波２３６、２３４は、それぞれ、ビデオレコーダ２１６および携帯情報端末３１８の受信アンテナ２６、２４、２８により受信され、チューナ２５２（３５２）の出力側に、換言すれば、デコーダ２５４（３５４）の入力側に、予めリモコン２５６あるいは操作部キー３５６により設定されたチャンネルの復調データとしてのコンテンツデータが出力される。
【０１１５】
図１１は、放送局２１２から放送された電波２３０、２３８の復調データとしてのコンテンツデータ４９０の構造を模式的に示している。図１１において、横軸は時間軸を表し、このコンテンツデータ４９０は、番組データ４９２と複数のＣＭデータ４９４とが交互に連続するデータとされている。時点ｔ０〜ｔ１の間は番組放送時間帯Ｔｐとされ、時点ｔ１〜ｔ９の間はＣＭ放送時間帯Ｔｃとされている。
【０１１６】
ＣＭデータ４９４は、８種類の連続するＣＭデータ４９４ａ（ＣＭａ）〜４９４ｈ（ＣＭｈ）から構成されている。
【０１１７】
番組データ４９２の先頭部であるヘッダ部４９６には、番組データ４９２であることを示す情報が挿入され、さらに各ＣＭデータ４９４ａ〜４９４ｈの先頭部であるヘッダ部４９８（４９８ａ〜４９８ｈ）には、それぞれＣＭデータ４９４であることを示す情報が挿入されるとともに、ＣＭデータ４９４ａ〜４９４ｈのそれぞれのカテゴリーが情報として挿入されている。
【０１１８】
そこで、ステップＳ１５では、デコーダ２５４（３５４）によりヘッダ部４９６、４９８が順次検出され、ステップＳ１６では、そのヘッダ部４９６、４９８の内容から番組データ４９２であるのかＣＭデータ４９４であるのかが判断される。
【０１１９】
例えば、時点ｔ０でのヘッダ部４９６が受信されたときには、ステップＳ１６において番組データ４９２と判断され、この番組データがステップＳ１７においてデコーダ２５４（３５４）からバス２４８（３４８）に提供され、このステップＳ１７の処理によりデータストレージ２４９（３４９）に記憶される。
【０１２０】
一方、時点ｔ１でヘッダ部４９８が受信されたときには、ステップＳ１６においてＣＭデータ４９４が受信されたと判断され、ステップＳ１８において、そのヘッダ部４９８に挿入されているカテゴリーが検出され、ＣＭデータ４９４のカテゴリーがチェックされる。
【０１２１】
ここで、ヘッダ部４９４ａ〜４９４ｈには、それぞれ、カテゴリーとして上述したカテゴリー［００］、［０１］、［１０］、［１１］のいずれかが放送局２１２等で予め挿入されている。
【０１２２】
したがって、ステップＳ１８では、ヘッダ部４９４ａ〜４９４ｈの各カテゴリーがカテゴリー［００］、［０１］、［１０］、［１１］中、いずれのカテゴリーであるのかが確認される。
【０１２３】
次に、ステップＳ１９の判断処理においては、ステップＳ１８で確認されたカテゴリーが、ＥＥＰＲＯＭ２５０（３５０）内に、ステップＳ１１の入力処理により予め設定され記憶されている所定のカテゴリーと一致しているかどうかの比較判断がなされる。
【０１２４】
具体的にこの実施の形態では、カテゴリー設定記憶部であるＥＥＰＲＯＭ２５０（３５０）に設定記憶されているカテゴリー［０１］と同一であるかどうかが判断され、設定記憶されているカテゴリー［０１］と同一のカテゴリーを有するＣＭデータ４９４ｂ、４９４ｆが抽出される（図１１参照）。なお、この実施の形態において、ＣＭデータ４９４ｂ、４９４ｆは、それぞれ広告主の異なる同一カテゴリー［０１］のＣＭｂ、ＣＭｆである。
【０１２５】
抽出されたＣＭｂのＣＭデータ４９４ｂとＣＭｆのＣＭデータ４９４ｆが、ステップＳ１７の処理により、データストレージ２４９（３４９）に記憶される。
【０１２６】
一方、ステップＳ１９の判断処理において抽出されたＣＭデータ４９４が設定されたカテゴリーと一致しないデータ、ここでは、残りのＣＭデータ４９４ａ、４９４ｃ〜４９４ｅ、４９４ｇ、４９４ｈであった場合には、ステップＳ１３の処理に戻り、ステップＳ１３の判断処理に係る録画終了時刻となるまで、ステップＳ１４〜Ｓ１９の処理が繰り返される。
【０１２７】
データストレージ２４９（３４９）に録画され記憶された番組データ４９２とＣＭデータ４９４ｂ、４９４ｆは、所望のときに、コンテンツ再生部としてのテレビジョン受信機１６やＬＣＤモニタ３６６あるいはスピーカ３６２上で再生することができる。
【０１２８】
以上説明したように上述した選択的記録再生装置に係る実施の形態によれば、番組データ４９２と所望のＣＭデータ４９４とを一旦データストレージ２４９（３４９）に、図１１中、記録イメージ５００として表したようにデータストレージ２４９（３４９）に記憶し、後の所望のときに、記憶されている番組データ４９２とＣＭデータ４９４（４９４ｂ、４９４ｆ）とをモニタ２６６（３６６）上に再生して視聴することができる。この実施の形態では、ビデオレコーダ２１６を利用して録画した場合には、たとえば、出勤前に、携帯情報端末３１６を利用して録画した場合には、たとえば、通勤列車の中等、通勤途上でＬＣＤモニタ３６６等を通じて再生し視聴することができる。
【０１２９】
この場合、記憶されるＣＭデータ４９４は、多種多様に放送されてくるＣＭの中、設定されたカテゴリー、例えば、自分の好みの属性に一致したＣＭのみをデータストレージ２４９（３４９）に記憶するようにしている。もちろん、同時に記憶している番組は、チャンネル選択しているので所望の番組であることはいうまでもない。
【０１３０】
これにより、データストレージ２４９（３４９）の記憶容量を不必要に増大させたり、ユーザに対して番組中に流れるＣＭの量を増加することなくＣＭ効果を高めることができるという効果が達成される。
【０１３１】
以上のように、図１例および図７例にそれぞれ示したユーザプリファレンス型広告システム１０、２１０によれば、放送メディアにおいて、多種多量に放送されるＣＭ中から視聴者にマッチ（適合）したＣＭを取り込むことが可能となり、放送チャンネル数の拡大や、ＣＭの表示回数を増加させることなく広告効果を高めることができる。
【０１３２】
なお、この発明は、上述の実施の形態に限らず、この発明の要旨を逸脱することなく、種々の構成を採り得ることはもちろんである。
【０１３３】
【発明の効果】
以上説明したように、この発明によれば、受信側で設定されたカテゴリーのコンテンツ、たとえば、設定されたＣＭをリアルタイムに映像等として出力することができ、あるいは、一旦記憶した後、再生することができる。
【０１３４】
受信側の装置がテレビジョン受信機や携帯情報端末である場合には、予めＣＭ等のコンテンツのカテゴリーを設定しておくことにより、チャンネル数を増加させることなく、ターゲット層の絞り混みによる広告効果（ＣＭ効果）等を高めることができる。
【０１３５】
コンテンツの送信側で考えれば、ＣＭの放送時間を増加させることなく、換言すれば、いわゆるＣＭの露出度を上げることなく、広告効果（ＣＭ効果）を高めることができる。
【０１３６】
また、記録再生装置では、記憶装置の容量を増加することなく、広告効果（ＣＭ効果）等を高めることができる。しかも、視聴者は、所望の番組と所望のＣＭのみを視聴することができる。
【図面の簡単な説明】
【図１】この発明の一実施の形態が適用されたユーザプリファレンス型広告システムの模式的構成図である。
【図２】図１例中のテレビジョン受信機の構成を示すブロック図である。
【図３】図１例中の携帯情報端末の構成を示すブロック図である。
【図４】図１例の動作説明に供されるフローチャートである。
【図５】カテゴリーの設定画面を示す線図である。
【図６】受信されるコンテンツデータの例を示す模式図である。
【図７】この発明の他の実施の形態が適用されたユーザプリファレンス型広告システムの模式的構成図である。
【図８】図１例中のビデオレコーダの構成を示すブロック図である。
【図９】図１例中の携帯情報端末の構成を示すブロック図である。
【図１０】図７例の動作説明に供されるフローチャートである。
【図１１】受信されるコンテンツデータの他の例を示す模式図である。
【符号の説明】
１０、２１０…ユーザプリファレンス型広告システム
１２、２１２…放送局              １４…ホーム
１６…テレビジョン受信機          １８、３１８…携帯情報端末
２０、２２…送信アンテナ          ２４、２６、２８…受信アンテナ
３０、３４、３６、３８、２３０、２３４、２３６、２３８…電波
３２…放送衛星
４０、１４０、２４０、３４０…制御処理部
４２、１４２、２４２、３４２…ＣＰＵ
４４、１４４、２４４、３４４…ＲＯＭ
４６、１４６、２４６、３４６…ＲＡＭ
４８、１４８、２４８、３４８…バス
５０、１５０、２５０、３５０…ＥＥＰＲＯＭ
５２、１５２、２５２、３５２…チューナ
５４、１５４、２５４、３５４…デコーダ
５６、２５６…リモートコマンダ    ６２、１６２、３６２…スピーカ
６６、１６６、２６６、３６６…モニタ
７０…十字キー                    ７２…決定キー
７４…取消キー                    ７７…切替キー
８０…画面                        ８２…カテゴリー設定欄
８４…カテゴリー設定表            ９０…コンテンツデータ
９２、４９２…番組データ          ９４、４９４…ＣＭデータ
９６、９８、４９８…ヘッダ部      １５６、３５６…操作部キー
ＢＷ…帯域幅                      Ｔｐ…番組放送時間帯
Ｔｃ…ＣＭ放送時間帯
【図１】
0003609994.tif 000002
【図２】
0003609994.tif 000003
【図３】
0003609994.tif 000004
【図４】
0003609994.tif 000005
【図５】
0003609994.tif 000006
【図６】
0003609994.tif 000007
【図７】
0003609994.tif 000008
【図８】
0003609994.tif 000009
【図９】
0003609994.tif 000010
【図１０】
0003609994.tif 000011
【図１１】
0003609994.tif 000012